(57)【特許請求の範囲】
【請求項１】
意匠カバーと、プッシュタイプノブと、シフトパネルアッセンブリと、伝達部と、を有しており、
前記ノブは、前記意匠カバーに対して可動とされており、前記意匠カバーに手を乗せたときに手のひらが当たる部位に配置されており、
前記シフトパネルアッセンブリは、前記意匠カバーから突出する突出位置と該突出位置から前記意匠カバー内に入り込む方向に移動した後退位置とに可動とされており、前記意匠カバーに手を乗せたときであって前記突出位置にあるときに指が当たる位置に配置されるシフトボタンを備えており、
前記伝達部は、前記ノブの動きを、前記シフトパネルアッセンブリに伝達するように構成されており、
前記シフトパネルアッセンブリは、前記ノブがプッシュされたとき、前記伝達部により前記後退位置から前記突出位置に移動する、
シフトチェンジャー。
【請求項２】
ベースと、付勢スプリングと、をさらに有しており、
前記意匠カバーは、前記ベースに固定されており、
前記シフトパネルアッセンブリは、前記ベースに前記突出位置と前記後退位置とに可動に支持されており、前記付勢スプリングにより、前記ベースに対して前記突出位置から前記後退位置に移動する方向に付勢されており、
前記シフトパネルアッセンブリは、前記ノブがプッシュされたとき、前記伝達部により前記付勢スプリングの付勢力に抗して前記後退位置から前記突出位置に移動する、請求項１記載のシフトチェンジャー。
【発明の詳細な説明】
【技術分野】
【０００１】
本発明は、トランスミッションのシフトレンジ変更操作用として車両に搭載されるシフトチェンジャーに関する。
【背景技術】
【０００２】
実開平０５−０５４８６２号公報は、図８に示すように、蓋３によって覆われる操作スイッチ２を有するシフトチェンジャー１を開示している。蓋３が設けられているためスイッチ２の誤操作が抑制される。
【０００３】
しかし、従来のシフトチェンジャーには、つぎの問題点がある。
スイッチ２を操作するために蓋３を開ける必要がある。そのため、シフトチェンジャー１の操作性において改善の余地がある。
【先行技術文献】
【特許文献】
【０００４】
【特許文献１】実開平０５−０５４８６２号公報
【発明の概要】
【発明が解決しようとする課題】
【０００５】
本発明の目的は、従来に比べて操作性を改善できるシフトチェンジャーを提供することにある。
【課題を解決するための手段】
【０００６】
上記目的を達成する本発明はつぎの通りである。
（１）  意匠カバーと、プッシュタイプノブと、シフトパネルアッセンブリと、伝達部と、を有しており、
前記ノブは、前記意匠カバーに対して可動とされており、前記意匠カバーに手を乗せたときに手のひらが当たる部位に配置されており、
前記シフトパネルアッセンブリは、前記意匠カバーから突出する突出位置と該突出位置から前記意匠カバー内に入り込む方向に移動した後退位置とに可動とされており、前記意匠カバーに手を乗せたときであって前記突出位置にあるときに指が当たる位置に配置されるシフトボタンを備えており、
前記伝達部は、前記ノブの動きを、前記シフトパネルアッセンブリに伝達するように構成されており、
前記シフトパネルアッセンブリは、前記ノブがプッシュされたとき、前記伝達部により前記後退位置から前記突出位置に移動する、
シフトチェンジャー。
（２）  ベースと、付勢スプリングと、をさらに有しており、
前記意匠カバーは、前記ベースに固定されており、
前記シフトパネルアッセンブリは、前記ベースに前記突出位置と前記後退位置とに可動に支持されており、前記付勢スプリングにより、前記ベースに対して前記突出位置から前記後退位置に移動する方向に付勢されており、
前記シフトパネルアッセンブリは、前記ノブがプッシュされたとき、前記伝達部により前記付勢スプリングの付勢力に抗して前記後退位置から前記突出位置に移動する、（１）記載のシフトチェンジャー。
【発明の効果】
【０００７】
上記（１）のシフトチェンジャーによれば、つぎの効果を得ることができる。
（ｉ）プッシュタイプノブが意匠カバーに手を乗せたときに手のひらが当たる部位に配置されているため、意匠カバーに手を乗せることによってノブをプッシュできる。また、（ｉｉ）ノブがプッシュされたとき、伝達部によりシフトパネルアッセンブリが後退位置から突出位置に移動する。また、（ｉｉｉ）シフトパネルアッセンブリが意匠カバーに手を乗せたときであって突出位置にあるときに指が当たる位置に配置されるシフトボタンを備えているため、シフトパネルアッセンブリが突出位置にあるときにシフトボタンを指で操作できる。したがって、意匠カバーに手を乗せることで、シフトパネルアッセンブリを突出位置に移動させて指でシフトボタンを操作できる。したがって、従来に比べて操作性が改善できる。
【０００８】
上記（２）のシフトチェンジャーによれば、つぎの効果を得ることができる。
シフトパネルアッセンブリが付勢スプリングによりベースに対して突出位置から後退位置に移動する方向に付勢されているため、ノブがプッシュされていないときにシフトパネルアッセンブリを後退位置に位置させることができる。また、ノブがプッシュされたときシフトパネルアッセンブリが伝達部により付勢スプリングの付勢力に抗して後退位置から突出位置に移動するため、ノブがプッシュされたときにシフトパネルアッセンブリを突出位置に位置させることができる。
【図面の簡単な説明】
【０００９】
【図１】本発明実施例１のシフトチェンジャーの、シフトパネルアッセンブリが突出位置にあるときの斜視図である。ただし、本図は、本発明実施例２にも適用可能である。
【図２】本発明実施例１のシフトチェンジャーの、シフトパネルアッセンブリが突出位置にあるときの平面図である。ただし、本図は、本発明実施例２にも適用可能である。
【図３】図２のＡ−Ａ線断面図である。なお、（ａ）は、シフトパネルアッセンブリが後退位置にあるときを示しており、（ｂ）は、シフトパネルアッセンブリが突出位置にあるときを示している。
【図４】図２のＢ−Ｂ線断面図である。
【図５】図４のＣ−Ｃ線断面図である。
【図６】図４のＤ−Ｄ線断面図である。
【図７】本発明実施例２のシフトチェンジャーの断面図である。なお、（ａ）は、シフトパネルアッセンブリが後退位置にあるときを示しており、（ｂ）は、シフトパネルアッセンブリが突出位置にあるときを示している。
【図８】従来のシフトチェンジャーの斜視図である。
【発明を実施するための形態】
【００１０】
図１〜図６は、本発明実施例１のシフトチェンジャーを示しており、図７は、本発明実施例２のシフトチェンジャーを示している。ただし、図１、図２は、本発明実施例２にも適用可能である。
本発明実施例１と実施例２にわたって共通する部分には、本発明実施例１と実施例２にわたって同じ符号を付してある。
まず、本発明実施例１と実施例２にわたって共通する部分を説明する。
【００１１】
本発明実施例のシフトチェンジャー１０は、図１に示すように、車両の内装部材であるセンタークラスターパネル１００に設けられる。ただし、シフトチェンジャー１０は、インストルメントパネル（図示略）に設けられていてもよく、コンソールパネル（図示略）に設けられていてもよい。
【００１２】
シフトチェンジャー１０は、図３に示すように、意匠カバー２０と、プッシュタイプノブ３０と、シフトパネルアッセンブリ４０と、伝達部５０と、ベース６０と、付勢スプリング７０と、を有する。
【００１３】
意匠カバー２０は、たとえば樹脂製である。意匠カバー２０は、センタークラスターパネル１００であってもよく、センタークラスターパネル１００に対して固定される部材であってもよい。意匠カバー２０は、一部品構成であってもよく、複数部品構成であってもよい。意匠カバー２０は、ベース６０に固定されている。シフトチェンジャー１０に手が乗せられたとき、意匠カバー２０に手のひらが接触する。意匠カバー２０は、上壁部２１と、側壁部２２と、第１の切欠き２３と、第２の切欠き２４と、を備える。
【００１４】
上壁部２１は、手にフィットするような形状である。上壁部２１は、図１に示すように、平面視で円形（略円形を含む）である。ただし、上壁部２１は、平面視で、マウス形状であってもよく、長方形であってもよい。
側壁部２２は、上壁部２１の縁から下方に延びて設けられている。側壁部２２は、全周にわたって連続して設けられている。側壁部２２の下端は、センタークラスターパネル１００に接触していてもよい。
第１の切欠き２３は、１個設けられる。第１の切欠き２３は、上壁部２１に設けられている。第１の切欠き２３は、上壁部２１を貫通している。第１の切欠き２３は、上壁部２１と側壁部２２の両方に設けられていてもよい。
第２の切欠き２４は、１個設けられる。第２の切欠き２４は、側壁部２２に設けられている。第２の切欠き２４は、側壁部２２を貫通している。
【００１５】
プッシュタイプノブ３０は、たとえば樹脂製である。ノブ３０は、意匠カバー２０に対して可動とされている。ノブ３０は、意匠カバー２０に手を乗せたときに手のひらが当たる部位の少なくとも一部に配置されている。ノブ３０は、図６に示すように、ベース６０に軸芯３１まわりに回動可能に支持されていてもよく、図７に示すように、ベース６０に直線動可能（スライド可能）に支持されていてもよい。ノブ３０がプッシュされていないとき、ノブ３０の意匠面３２は、意匠カバー２０の上壁部２１の上面２１ａと面一または略面一となっている。
【００１６】
シフトパネルアッセンブリ４０は、図３に示すように、意匠カバー２０から突出する突出位置４０ａと突出位置４０ａから意匠カバー２０内に入り込む方向に移動した後退位置４０ｂとに可動とされている。シフトパネルアッセンブリ４０が意匠カバー２０に対して移動する方向は、ノブ３０が意匠カバー２０に対して移動する方向と直交（略直交を含む）する。
【００１７】
シフトパネルアッセンブリ４０は、付勢スプリング７０により、ベース６０に対して突出位置４０ａから後退位置４０ｂに移動する方向に付勢されている。そのため、ノブ３０がプッシュされていないとき、シフトパネルアッセンブリ４０は、後退位置４０ｂにある。シフトパネルアッセンブリ４０は、ノブ３０がプッシュされたとき、伝達部５０により付勢スプリング７０の付勢力に抗して後退位置４０ｂから突出位置４０ａに移動する。
【００１８】
シフトパネルアッセンブリ４０は、スライドパネル４１と、シフトボタン４２と、を備える。
【００１９】
スライドパネル４１は、たとえば樹脂製である。スライドパネル４１は、ベース６０にスライド可能に支持されている。スライドパネル４１は、図４、図５に示すように、ガイドロッド４３を用いてベース６０にスライド可能に支持されている。スライドパネル４１がベース６０にスライド可能に支持されているため、シフトパネルアッセンブリ４０がベース６０に突出位置４０ａと後退位置４０ｂとに可動に支持される。
【００２０】
シフトボタン４２は、スライドパネル４１に可動に支持される。シフトボタン４２は、プッシュタイプボタンであってもよく、プルタイプボタンであってもよく、ダイヤルタイプボタンであってもよい。シフトボタン４２は、図１、図２に示すように、複数設けられる。シフトボタン４２は、Ｒ（リバース）用のボタン４２ａ、Ｎ（ニュートラル）用のボタン４２ｂ、Ｄ（ドライブ）用のボタン４２ｃを備える。シフトボタン４２は、さらに、Ｐ（パーキング）用のボタン、Ｂ（シフトダウン）用のボタンを備えていてもよい。シフトボタン４２は、意匠カバー２０に手を乗せたときであってシフトパネルアッセンブリ４０が突出位置４０ａにあるときに、指が当たる位置に配置される。シフトパネルアッセンブリ４０が後退位置４０ｂにあるとき、シフトボタン４２は意匠パネル２０内にあり操作不能である。シフトパネルアッセンブリ４０が突出位置４０ａにあるとき、シフトボタン４２は意匠パネル２０外にあり操作可能である。
【００２１】
伝達部５０は、図３に示すように、ノブ３０の動きを、シフトパネルアッセンブリ４０に伝達するように構成されている。伝達部５０は、ノブ３０に設けられる押圧部５１と、スライドパネル４１に設けられる斜面部５２と、を備える。ノブ３０が押されたとき、斜面部５２が押圧部５１によって押される。このため、スライドパネル４１がベース６０に対して移動する。押圧部５２は、斜面部５２を直接押していてもよく、カム部材５３を介して押していてもよい。
【００２２】
ベース６０は、たとえば樹脂製である。ベース６０は、センタークラスターパネル１００に対して固定される部材である。ベース６０には、基板６２が取付けられている。基板６２には、スイッチ６１が取付けられている。スイッチ６１は、シフトボタン４２の裏側に配置される。スイッチ６１は、シフトボタン４２が操作されたとき、シフトボタン４２によって押される。
【００２３】
付勢スプリング７０は、たとえばコイルスプリングからなる。付勢スプリング７０の一端は、ベース６０に接触しており、付勢スプリング７０の他端は、スライドパネル４１（シフトパネルアッセンブリ４０）に接触している。
【００２４】
つぎに、本発明実施例１と実施例２にわたって共通する作用・効果を説明する。
（ｉ）プッシュタイプノブ３０が意匠カバー２０に手を乗せたときに手のひらが当たる部位に配置されているため、意匠カバー２０に手を乗せることによってノブ３０をプッシュできる。また、（ｉｉ）ノブ３０がプッシュされたとき、伝達部５０によりシフトパネルアッセンブリ４０が後退位置４０ｂから突出位置４０ａに移動する。また、（ｉｉｉ）シフトパネルアッセンブリ４０が意匠カバー２０に手を乗せたときであって突出位置４０ａにあるときに指が当たる位置に配置されるシフトボタン４２を備えているため、シフトパネルアッセンブリ４０が突出位置４０ａにあるときにシフトボタン４２を指で操作できる。したがって、意匠カバー２０に手を乗せることで、シフトパネルアッセンブリ４０を突出位置４０ａに移動させて指でシフトボタン４２を操作できる。したがって、シフトボタン４２を操作する一連の動作で追加の動作をせずにシフトボタン４２を操作できる。よって、従来に比べて操作性が改善できる。
【００２５】
シフトパネルアッセンブリ４０が付勢スプリング７０によりベース６０に対して突出位置４０ａから後退位置４０ｂに移動する方向に付勢されているため、ノブ３０がプッシュされていないときにシフトパネルアッセンブリ４０を後退位置４０ｂに位置させることができる。また、シフトパネルアッセンブリ４０が後退位置４０ｂにあるとき、シフトボタン４２は意匠パネル２０内にあり操作不能である。したがって、シフトチェンジャー１０が操作されないとき、シフトボタン４２の誤操作が抑制される。
【００２６】
ノブ３０がプッシュされたときシフトパネルアッセンブリ４０が伝達部５０により付勢スプリング７０の付勢力に抗して後退位置４０ｂから突出位置４０ａに移動するため、ノブ３０がプッシュされたときにシフトパネルアッセンブリ４０を突出位置４０ａに位置させることができる。
【００２７】
つぎに、本発明各実施例に特有な部分を説明する。
〔実施例１〕（図１〜図６）
本発明実施例１では、ノブ３０は、図６に示すように、ベース６０に軸芯３１まわりに回動可能に支持されている。また、伝達部５０の押圧部５１は、図３に示すように、カム部材５３を介して斜面部５２を押している。
【００２８】
カム部材５３は、ベース６０に軸芯５３ａまわりに回動可能に支持される。カム部材５３の軸芯５３ａの位置は、ノブ３０の軸芯３１の位置と異なっている。カム部材５３は、ノブ３０によって押される受け部５３ｂと、斜面部５２に当接する当接部５３ｃと、を備える。軸芯５３ａと当接部５３ｃとの間の距離は、軸芯５３ａと受け部５３ｂとの間の距離よりも大である。
【００２９】
本発明実施例１では、カム部材５３が設けられており、軸芯５３ａと当接部５３ｃとの間の距離が軸芯５３ａと受け部５３ｂとの間の距離よりも大であるため、ノブ３０の移動量に比べてスライドパネル４１の移動量を大にすることができる。
【００３０】
〔実施例２〕（図７）
本発明実施例２では、ノブ３０は、図７に示すように、ベース６０に直線動可能（スライド可能）に支持されている。カム部材５３は設けられていない。伝達部５０の押圧部５１は、斜面部５２を直接押す。
【００３１】
本発明実施例２では、カム部材５３が設けられていないため、カム部材５３が設けられる場合に比べてコストダウンを図ることができる。
【符号の説明】
【００３２】
１０  シフトチェンジャー
２０  意匠カバー
２１  上壁部
２１ａ  上面
２２  側壁部
２３  第１の切欠き
２４  第２の切欠き
３０  プッシュタイプノブ
３１  軸芯
３２  意匠面
４０  シフトパネルアッセンブリ
４０ａ  突出位置
４０ｂ  後退位置
４１  スライドパネル
４２  シフトボタン
４２ａ  Ｒ（リバース）用のボタン
４２ｂ  Ｎ（ニュートラル）用のボタン
４２ｃ  Ｄ（ドライブ）用のボタン
４３  ガイドロッド
５０  伝達部
５１  押圧部
５２  斜面部
５３  カム部材
５３ａ  軸芯
５３ｂ  受け部
５３ｃ  当接部
６０  ベース
６１  スイッチ
６２  基板
７０  付勢スプリング
１００  センタークラスターパネル
【図１】
0005976058.tif 000002
【図２】
0005976058.tif 000003
【図３】
0005976058.tif 000004
【図４】
0005976058.tif 000005
【図５】
0005976058.tif 000006
【図６】
0005976058.tif 000007
【図７】
0005976058.tif 000008
【図８】
0005976058.tif 000009